(57)【要約】      （修正有）【課題】見る人に大きな驚きを与えることができる光再帰性反射シートおよび光再帰性反射シートを備える物品を提供する。【解決手段】光再帰性反射シート１は、入射した光Ｌ１が反射して光源方向に帰る黒色の光再帰性反射要素２と、黒色の光再帰性反射要素２に設けられている光透過性の印刷層３と、を備える。拡散光Ｌ１を当てると黒色に見え、指向性が強い光を当てると印刷層３が見える。【選択図】図１
0003216375.tif 000002
【実用新案登録請求の範囲】
【請求項１】
入射した光が反射して光源方向に帰る黒色の光再帰性反射要素と、
前記黒色の光再帰性反射要素の光が入射して再帰反射する側に設けられている光透過性の印刷層と、
を備える、ことを特徴とする光再帰性反射シート。
【請求項２】
前記黒色の光再帰性反射要素は、
拡散光であって、前記黒色の光再帰性反射要素で反射した前記拡散光の反射光が黒色であり、
指向性が強い光であって、前記黒色の光再帰性反射要素で反射した前記指向性が強い光の反射光が白色である、
ことを特徴とする請求項１に記載の光再帰性反射シート。
【請求項３】
物品と、
前記物品に設けられている前記の請求項１または２に記載の光再帰性反射シートと、
を備える、
ことを特徴とする光再帰性反射シートを備える物品。
【考案の詳細な説明】
【技術分野】
【０００１】
本考案は、光再帰性反射シートに関するものである。また、本考案は、光再帰性反射シートを備える物品に関するものである。
【背景技術】
【０００２】
光再帰性反射シートとしては、例えば、特許文献１に示すものがある。特許文献１の光再帰性反射シートは、光再帰性反射要素と、光再帰性反射要素の上方に施した透明な第１着色層と、第１着色層の上方もしくは下方に部分的に施した第２着色層と、を有し、第２着色層の色の色相、明度および彩度が第１着色層の色と同じであるかもしくはほぼ同じである。特許文献１の光再帰性反射シートは、第２着色層の色の色相、明度および彩度が第１着色層の色と同じであるかもしくはほぼ同じであるように構成することにより、通常の拡散光条件下では第２着色層に表現されている文字等を視認することができないが、光再帰性反射条件下ではこれらの文字等を視認することができる。
【先行技術文献】
【特許文献】
【０００３】
【特許文献１】特開２０００−３２１４１４号公報
【考案の概要】
【考案が解決しようとする課題】
【０００４】
しかしながら、特許文献１の光再帰性反射シートは、光再帰性反射要素の色が第１着色層の色および第２着色層の色と同じであるかもしくはほぼ同じであり、たとえば、シルバー色や赤色である。この結果、特許文献１の光再帰性反射シートは、通常の拡散光条件下と光再帰性反射条件下とにおいて、光再帰性反射要素の色、第１着色層の色および第２着色層の色が見える。これにより、特許文献１の光再帰性反射シートは、通常の拡散光条件下における見え方と光再帰性反射条件下における見え方との間の差が文字等を視認できないか視認できるかの差であり、見る人に大きな驚きを与えることができない。
【０００５】
本考案が解決しようとする課題は、見る人に大きな驚きを与えることができる光再帰性反射シートおよび光再帰性反射シートを備える物品を提供することにある。
【課題を解決するための手段】
【０００６】
本考案の光再帰性反射シートは、入射した光が反射して光源方向に帰る黒色の光再帰性反射要素と、黒色の光再帰性反射要素の光が入射して再帰反射する側に設けられている光透過性の印刷層と、を備える、ことを特徴とする。
【０００７】
本考案の光再帰性反射シートは、黒色の光再帰性反射要素が、拡散光であって、黒色の光再帰性反射要素で反射した拡散光の反射光が黒色であり、指向性が強い光であって、黒色の光再帰性反射要素で反射した指向性が強い光の反射光が白色である、ことが好ましい。
【０００８】
本考案の光再帰性反射シートを備える物品は、物品と、物品に設けられている前記の光再帰性反射シート（実用新案登録請求の範囲の請求項１または２に記載の光再帰性反射シート）と、を備える、ことを特徴とする。
【考案の効果】
【０００９】
本考案は、見る人に大きな驚きを与えることができる光再帰性反射シートおよび光再帰性反射シートを備える物品を提供することができる。
【図面の簡単な説明】
【００１０】
【図１】図１は、本考案に係る光再帰性反射シートおよび光再帰性反射シートを備える物品の実施形態を示し、通常の拡散光条件下における観察状態の一部拡大断面説明図である。
【図２】図２は、光再帰性反射条件下における観察状態を示す一部拡大断面説明図である。
【図３】図３は、通常の拡散光条件下における状態を示す正面説明図である。
【図４】図４は、光再帰性反射条件下における状態を示す正面説明図である。
【図５】図５は、通常の拡散光条件下における状態を模式的に示す正面説明図である。
【図６】図６は、光再帰性反射条件下における状態を模式的に示す正面説明図である。
【考案を実施するための形態】
【００１１】
以下、本考案に係る光再帰性反射シートおよび光再帰性反射シートを備える物品の実施形態（実施例）の１例を図面に基づいて詳細に説明する。なお、図５、図６は、印刷層３の視認性の程度を理解し易いように、印刷層３およびうちわ１００の輪郭線を描いた模式図である。このため、この図５、図６においては、印刷層３の意匠部分３１に描かれいるまりや桜の花びらをモチーフした絵柄（図４を参照）の図示を省略する。
【００１２】
本明細書および別紙の実用新案登録請求の範囲において、「光再帰性反射」とは、広い照射角にわたって、入射角の光路にほぼ沿う方向に、選択的に反射光が戻るような反射のことをいう。また、「黒色」および「白色」は、無彩色すなわち彩度が０である。
【００１３】
（実施形態の構成の説明）
以下、この実施形態に係る光再帰性反射シートおよび光再帰性反射シートを備える物品の構成について説明する。図中、符号１は、この実施形態に係る光再帰性反射シートである。図中、符号１００は、この実施形態に係る光再帰性反射シート１を備える物品である。
【００１４】
（光再帰性反射シート１の説明）
光再帰性反射シート１は、図１、図２に示すように、黒色の光再帰性反射要素２と、光透過性の印刷層３と、クリア層（保護層、表面層）４と、粘着剤層（接着剤層）５と、基材（剥離ライナ、セパレータ）６と、を備える。
【００１５】
（黒色の光再帰性反射要素２の説明）
黒色の光再帰性反射要素（以下、「光再帰性反射要素」と称する）２は、この例では、封入レンズ型光再帰性反射要素であり、「３Ｍ（登録商標）スコッチカル（登録商標）反射シート６８０シリーズの６８０−８５ブラック」を使用する。この光再帰性反射要素２において、拡散光Ｌ１の反射光Ｌ１２（図１を参照）は、黒色であり、指向性が強い光Ｌ２の反射光Ｌ２０（図２を参照）は、白色である。なお、黒色の光再帰性反射要素２としては、前記の例以外の例の物を使用しても良い。たとえば、「日本カーバイド工業株式会社ニッカライト・再帰反射シート  タイプ  封入レンズ型再帰反射シート  グレード  ６２００シリーズ（感圧型）  黒」などである。
【００１６】
光再帰性反射要素２は、図１、図２に示すように、多数個の光透過性の球体（ガラスビーズ）２０と、接着剤層（結合剤層、透明プラスチックフィルム）２１と、焦点樹脂層（焦点層、膠着剤）２２と、反射層（反射面）２３と、を有する。
【００１７】
球体２０は、この例では、直径が約３５〜１２０mmの高屈折率のガラス製の球体である。接着剤層２１および焦点樹脂層２２は、多数個の球体２０を両側（上下両側）から平面状に封入する。接着剤層２１の膜厚（厚さ）および焦点樹脂層２２の膜厚は、多数個の球体２０を平面状に封入し得るに十分な膜厚を有する。接着剤層２１および焦点樹脂層２２は、光透過性の材料からなる。接着剤層２１は、黒色をなす。これにより、光再帰性反射要素２は、黒色となる。なお、接着剤層２１が無色透明の場合には、この接着剤層２１の一面（球体２０側と反対側の面）に光透過性の黒色の印刷層を設ける。
【００１８】
反射層２３は、焦点樹脂層２２側に形成されている。すなわち、反射層２３は、焦点樹脂層２２のうち、球体２０に対して反対側の面に形成されている。反射層２３は、球体２０の中心と同心もしくはほぼ同心の球面の一部から形成されている。反射層２３は、アルミなどの金属層からなる。
【００１９】
ここで、光再帰性反射要素２における光再帰性反射について図１、図２を参照して説明する。光源（図示せず）からの光Ｌ１、Ｌ２は、接着剤層２１および球体２０を透過し、かつ、球体２０を透過する際に、球体２０の表面（界面）で屈折して、反射層２３上にある焦点（図示せず）に収束する（集まる）。焦点に収束した光は、反射層２３で反射して反射光Ｌ１０、Ｌ２０として、再び球体２０および接着剤層２１を透過し、かつ、球体２０を透過する際に、球体２０の表面（界面）で屈折して、入射光と平行もしくはほぼ平行に光源方向に戻る。
【００２０】
（光透過性の印刷層３の説明）
光透過性の印刷層（以下、「印刷層」と称する）３は、樹脂系透明インク（光透過性を有するインク）をスクリーン印刷法、グラビア印刷法等の常用の印刷法を使用して印刷されている。特に、スクリーン印刷により印刷層３を形成することが好ましい。印刷層３の膜厚は、この例では、約２〜２０μｍの膜厚である。なお、印刷層３の膜厚は、所望とする効果やその形成方法によって広く変更することができ、約２〜２０μｍ以外の膜厚であっても良い。
【００２１】
印刷層３は、図１、図２に示すように、光再帰性反射要素２のうち、光が入射して再帰反射する側、すなわち、光再帰性反射要素２の接着剤層２１側に設けられている（積層されている）。印刷層３は、図４に示すように、意匠部分３１を有する。意匠部分３１は、任意の色（色彩）で着色されている。意匠部分３１には、この例では、まりや桜の花びらをモチーフした絵柄が描かれている。なお、意匠部分３１には、まりや桜の花びらをモチーフした絵柄以外の絵柄を描いても良いし、また、絵柄以外に文字や数字や線図等を描いても良い。なお、印刷層３は、光再帰性反射要素２に対して全体に設けても良いし、部分的に設けても良い。
【００２２】
（クリア層４、粘着剤層５、基材６の説明）
クリア層４は、光再帰性反射要素２のうち、印刷層３側に設けられている（積層されている）。クリア層４は、光再帰性反射要素２および印刷層３を保護する保護膜として作用する。このため、クリア層４は、本来必須の性質である透明性に加えて、耐候性および耐熱性を有することが望ましく、好ましくは、そのような性質を満足させる各種の樹脂のなかから適当な樹脂を選択して形成することができる。また、クリア層４は、その下地である印刷層３との良好な密着性を有することも望ましい。クリア層４を形成するための樹脂としては、以下に列挙するものに限定されないけれども、ポリエステル樹脂、ポリエチレン樹脂、ウレタン樹脂、塩化ビニル樹脂、アクリル樹脂、弗化ビニリデン樹脂などを挙げることができる。
【００２３】
また、このクリア層４の膜厚は、所望とする効果などによって広く変更し得るというものの、通常、約５〜１００μｍの範囲であるのが好ましく、さらに好ましくは、約２０〜７５μｍの範囲である。すなわち、クリア層４の膜厚は、シート全体のフレキシビリティを損なわない程度であるならば、特に限定されるものではない。さらに、このクリア層４の追加の作用効果として、シート表面に対する光沢の付与なども期待できる。
【００２４】
基材６は、光再帰性反射要素２のうち、印刷層３に対して反対側すなわち焦点樹脂層２２側に粘着剤層５を介して設けられている（積層されている）。基材６は、光再帰性反射シート１を支承し、かつその取扱や貼付を容易にする。基材６としては、剥離ライナーを有利に使用することができる。剥離ライナー付きの粘着剤層５は、商業的に入手可能である。このような基材６（剥離ライナー）付きの粘着剤層５を光再帰性反射シート１に併用することを通じて、ユーザー一般が任意の物品に容易に貼り付けることが可能になる。なお、クリア層４、粘着剤層５、基材６は、設けなくとも良い。
【００２５】
（物品１００の説明）
物品１００は、この例では、うちわである。うちわである物品（以下、「うちわ」と称する）１００は、図３〜図６に示すように、扇部１０１と、柄１０２と、を有する。うちわ１００は、この例では、黒色の樹脂製からなる。なお、うちわ１００の色は、黒色以外の色であっても良いし、また、うちわ１００の材料は、樹脂以外の材料であっても良い。
【００２６】
うちわ１００の扇部１０１の一面（もしくは両面）には、光再帰性反射シート１が設けられている。すなわち、光再帰性反射シート１の基材６を粘着剤層５から剥離し、光再帰性反射シート１の粘着剤層５をうちわ１００の扇部１０１の一面（もしくは両面）に貼り付ける。ここで、図１、図２において、うちわ１００と基材６とは、同一の物に示されている。すなわち、光再帰性反射シート１の場合は、基材６であり、光再帰性反射シート１をうちわ１００に貼り付けた場合は、うちわ１００である。なお、図１、図２の断面図において、うちわ１００の場合、うちわ１００の厚さは、基材６の厚さよりも厚くなる。
【００２７】
（実施形態の作用の説明）
この実施形態にかかる光再帰性反射シート１およびうちわ１００は、以上のごとき構成からなり、以下、その作用について説明する。ここで、「通常の拡散光条件下」とは、自然光や照明光などの拡散光Ｌ１が光再帰性反射シート１およびうちわ１００に当たっている状態を言う。また、「光再帰性反射条件下」とは、車両のヘッドライトからの照射光や携帯電子機器（スマートフォン、タブレットなど）に搭載されている発光素子からの閃光などの指向性が強い光Ｌ２が光再帰性反射シート１およびうちわ１００に照射されている状態を言う。なお、光再帰性反射シート１およびうちわ１００の観察状態は、昼夜、屋内屋外を問わない。
【００２８】
（通常の拡散光条件下の説明）
まず、通常の拡散光条件下における作用について図１、図３、図５を参照して説明する。なお、図３は、符号「１０１」「１０２」の引き出し線を明確にするために、引き出し線の周囲の黒地部分（黒色部分）を白抜き（白色部分、図面の地色部分）で図示する。しかしながら、実物は、黒地（黒色）に見える。
【００２９】
自然光や照明光などの拡散光Ｌ１が光再帰性反射シート１およびうちわ１００に当たる。すると、拡散光Ｌ１は、図１に示すように、クリア層４を透過して印刷層３に達する。拡散光Ｌ１の一部は、印刷層３で反射して反射光Ｌ１１として、クリア層４を透過して外部に出射する。この反射光Ｌ１１は、印刷層３の意匠部分３１の色を帯びている。この反射光Ｌ１１の一部は、人の目７に入る。
【００３０】
拡散光Ｌ１の残り（印刷層３で反射しなかった拡散光Ｌ１の残り）は、印刷層３を透過して光再帰性反射要素２の接着剤層２１に達する。拡散光Ｌ１の残りの一部は、接着剤層２１で反射して反射光Ｌ１２として、印刷層３およびクリア層４を透過して外部に出射する。この反射光Ｌ１２は、接着剤層２１の黒色である。この反射光Ｌ１２の一部は、人の目７に入る。
【００３１】
拡散光Ｌ１の残り（印刷層３および接着剤層２１で反射しなかった拡散光Ｌ１の残り）は、光再帰性反射要素２で再帰反射して、反射光Ｌ１０として、印刷層３およびクリア層４を透過して外部に出射する。この反射光Ｌ１０は、白色であるが、光量が少なく（低く）光が弱い（暗い）。このため、この反射光Ｌ１０の一部が人の目７に入ったとしても、人の目７では、光量が少ない白色である反射光Ｌ１０を視認することが難しいか視認できない。入射側の拡散光Ｌ１の光路と、出射側の再帰反射した反射光Ｌ１０の光路とは、平行もしくはほぼ平行である。
【００３２】
この通常の拡散光条件下においては、図３に示すように、光再帰性反射シート１およびうちわ１００が黒色に見える。なお、光再帰性反射シート１およびうちわ１００の見る方向によっては、黒地に印刷層３の意匠部分３１が若干見える場合（図５中の破線を参照）がある。
【００３３】
（光再帰性反射条件下の説明）
つぎに、光再帰性反射条件下における作用について図２、図４、図６を参照して説明する。なお、図４は、符号「３」「３１」「１０１」「１０２」の引き出し線を明確にするために、引き出し線の周囲の黒地部分（黒色部分）を白抜き（白色部分、図面の地色部分）で図示する。しかしながら、実物は、黒地（黒色）に見える。
【００３４】
指向性が強い光Ｌ２が光再帰性反射シート１およびうちわ１００に照射される。すると、指向性が強い光Ｌ２は、図２に示すように、クリア層４および印刷層３を透過して光再帰性反射要素２で再帰反射して、反射光Ｌ２０として、印刷層３およびクリア層４を透過して外部に出射する。入射側の指向性が強い光Ｌ２の光路と、出射側の反射光Ｌ２０の光路とは、平行もしくはほぼ平行である。
【００３５】
ここで、光再帰性反射要素２で再帰反射した反射光Ｌ２０は、白色である。しかも、この指向性が強い光Ｌ２の反射光Ｌ２０の光量は、前記の拡散光Ｌ１の反射光Ｌ１０の光量と比較して、多く（高く）光が強い（明るい）。このため、白色で光量が多い反射光Ｌ２０が印刷層３およびクリア層４を透過して外部に出射することにより、図４に示すように、印刷層３の意匠部分３１が黒地の光再帰性反射シート１およびうちわ１００に部分的に浮かんで見える。すなわち、光再帰性反射要素２から再帰反射した反射光Ｌ２０は、いわゆる、「バックライト」の作用をなして、通常の拡散光条件下では見え難かったもしくは見えなかった印刷層３の意匠部分３１を見えるようにするものである。
【００３６】
特に、図２に示すように、指向性が強い光Ｌ２を光再帰性反射シート１およびうちわ１００に、垂直もしくはほぼ垂直に照射させることにより、反射光Ｌ２０の光量は、さらに多くなる。また、指向性が強い光Ｌ２の光源の近傍に人の目７を位置させることにより、人の目７に入る反射光Ｌ２０の光量は、さらに多くなる。これにより、印刷層３の意匠部分３１が黒地の光再帰性反射シート１およびうちわ１００にさらにはっきりと見える。
【００３７】
なお、指向性が強い光Ｌ２を光再帰性反射シート１およびうちわ１００に斜めに照射させても、垂直もしくはほぼ垂直に照射させた場合とほぼ同様に、印刷層３の意匠部分３１が黒地の光再帰性反射シート１およびうちわ１００に見える。また、印刷層３の意匠部分３１は、光再帰性反射シート１およびうちわ１００の全体に亘って見えても良い。さらに、光再帰性反射シート１およびうちわ１００の見る方向によって、通常の拡散光条件下において若干見えていた（図５中の破線を参照）印刷層３の意匠部分３１が、図６中の実線に示すように、はっきりと見えるようになる場合がある。
【００３８】
（実施形態の効果の説明）
この実施形態にかかる光再帰性反射シート１およびうちわである物品１００は、以上のごとき構成および作用からなり、以下、その効果について説明する。
【００３９】
この実施形態にかかる光再帰性反射シート１および物品１００は、黒色の光再帰性反射要素２に光透過性の印刷層３を設けたものであるから、拡散光Ｌ１が当たっている通常の拡散光条件下では黒色に見え、一方、指向性が強い光Ｌ２が当たっている光再帰性反射条件下では、印刷層３の意匠部分３１が見える。このように、この実施形態にかかる光再帰性反射シート１および物品１００は、指向性が強い光Ｌ２を当てることにより、通常の拡散光条件下では見えない印刷層３の意匠部分３１が見える。
【００４０】
この結果、この実施形態にかかる光再帰性反射シート１および物品１００は、通常の拡散光条件下における黒色に見える見え方と光再帰性反射条件下における印刷層３の意匠部分３１が見える見え方との間の差が、前記の特許文献１の光再帰性反射シートと比較して、大きい。これにより、この実施形態にかかる光再帰性反射シート１および物品１００は、見る人に大きな驚き（インパクト）を与えることができる。
【００４１】
特に、携帯電子機器に搭載されている発光素子からの閃光などであって指向性が非常に強い光Ｌ２の光再帰性反射条件下においては、印刷層３の意匠部分３１がさらにはっきりと見える。しかも、携帯電子機器は、光源としての発光素子と人の目７に対応する撮像素子（画像素子、イメージセンサ、画像センサ）とが近接して配置されているので、撮像された画像（イメージ）において、印刷層３の意匠部分３１がさらにはっきりと見える。
【００４２】
この実施形態にかかる光再帰性反射シート１および物品１００は、指向性が強い光Ｌ２を照射する装置や機器などがあれば、何時でも何処でも、黒地から印刷層３の意匠部分３１に変えて見ることができる。現在、殆どの人が所持している携帯電子機器は、特に指向性が強い光Ｌ２を照射する発光素子を搭載している。これにより、この実施形態にかかる光再帰性反射シート１および物品１００は、殆どの人が何時でも何処でも、黒地から印刷層３の意匠部分３１に変えて楽しむことができる。
【００４３】
この実施形態にかかる光再帰性反射シート１および物品１００は、黒色の光再帰性反射要素２として、拡散光Ｌ１であって光再帰性反射要素２で反射した反射光Ｌ１２が黒色であり、かつ、指向性が強い光Ｌ２であって光再帰性反射要素２で反射した反射光Ｌ１０が白色である黒色の光再帰性反射要素２を使用するものである。この結果、この実施形態にかかる光再帰性反射シート１および物品１００は、通常の拡散光条件下における黒色に見える見え方と光再帰性反射条件下における印刷層３の意匠部分３１が見える見え方との間の差をさらに確実に大きくすることができる。これにより、この実施形態にかかる光再帰性反射シート１および物品１００は、見る人に大きな驚き（インパクト）をさらに確実に与えることができる。
【００４４】
（実施形態以外の例の説明）
なお、前記の実施形態においては、光再帰性反射要素２として、封入レンズ型光再帰性反射要素を使用するものである。しかしながら、本考案においては、光再帰性反射要素２として、封入レンズ型光再帰性反射要素以外に、例えば、カプセルレンズ型光再帰性反射要素やプリズム型光再帰性反射要素などを使用しも良い。
【００４５】
また、前記の実施形態においては、光再帰性反射シート１とうちわ１００とをそれぞれ別個に製造して、光再帰性反射シート１をうちわ１００に貼り付けたものである。しかしながら、本考案においては、光再帰性反射シート１をうちわ１００その他の物品に直接設けても良い。
【００４６】
さらに、前記の実施形態においては、物品としてうちわ１００を使用するものである。しかしながら、本考案においては、物品としてうちわ１００以外の物品であっても良い。たとえば、物品として、プレートを使用し、このプレートに光再帰性反射シート１を張り付けて、装飾物やポスターとして使用する。
【００４７】
なお、本考案は、前記の実施形態により限定されるものではない。すなわち、本考案の光再帰性反射シートは、黒色の光再帰性反射要素２と、光透過性の印刷層３と、を備えるものであれば良く、クリア層４、粘着剤層５および基材６を備えなくとも良い。
【符号の説明】
【００４８】
１  光再帰性反射シート
１００  物品（うちわ）
２  黒色の光再帰性反射要素（光再帰性反射要素）
２０  球体
２１  接着剤層
２２  焦点樹脂層
２３  反射層
３  光透過性の印刷層（印刷層）
３１  意匠部分
４  クリア層
５  粘着剤層
６  基材
７  目
Ｌ１  拡散光
Ｌ１０  反射光（拡散光であって光再帰性反射要素で再帰反射した反射光）
Ｌ１１  反射光（拡散光であって印刷層で反射した反射光）
Ｌ１２  反射光（拡散光であって光再帰性反射要素の接着剤層で反射した反射光）
Ｌ２  指向性が強い光
Ｌ２０  反射光（指向性が強い光であって光再帰性反射要素で再帰反射した反射光）
【図１】
0003216375.tif 000003
【図２】
0003216375.tif 000004
【図３】
0003216375.tif 000005
【図４】
0003216375.tif 000006
【図５】
0003216375.tif 000007
【図６】
0003216375.tif 000008